(57)【要約】【課題】無線情報記憶媒体を効率良く発行できる無線情報記憶媒体の発行装置を提供する。【解決手段】無線情報記憶部と、可視画像を記録する画像記録部と、を有した無線情報記憶媒体２０を発行する発行装置は、複数の無線情報記憶媒体の無線情報記憶部に非接触で同一な所定の情報を書き込む情報書き込み装置１０と、情報書き込み装置と独立して動作する画像記録装置と、を有している。画像記録装置は、情報書き込み装置によって所定の情報が書き込まれた無線情報記憶媒体２０の画像記録部に所定の情報の一部に関する可視情報を記録する。【選択図】    図３
2005056433.tif 000002
【特許請求の範囲】
【請求項１】
情報を記憶する記憶手段を有し、非接触で情報を送受信する無線情報記憶部と、可視画像を記録する画像記録部とを備えた無線情報記憶媒体を発行するものであって、
前記複数の無線情報記憶媒体の無線情報記憶部に非接触で同一な所定の情報を書き込む情報書き込み装置と、
前記情報書き込み装置と独立して動作し、前記情報書き込み装置によって所定の情報が書き込まれた前記無線情報記憶媒体の画像記録部に所定の情報の一部に関する可視情報を記録する画像記録装置と、
を有することを特徴とする無線情報記憶媒体の発行装置。
【発明の詳細な説明】
【技術分野】
【０００１】
この発明は、物品に対して所定の処理を行うために、この物品に取り付けられる無線情報記憶媒体を発行する発行装置に関し、特に、無線により非接触で情報の読み取り、情報の書き込みが可能な無線情報記憶媒体の発行装置に関する。
【背景技術】
【０００２】
無線により外部と交信可能なＩＣメモリーなどの情報記憶部を用いて、非接触で情報記憶部に対する情報の読み出しあるいは書き込み制御を行う無線情報記憶媒体が次世代の情報キャリアとして注目されている。
【０００３】
無線情報記憶媒体は、単体では無線タグとして、また、物品に取り付けることにより、物品の万引き防止システム、あるいはスキーリフト券として利用されている。また、無線情報記憶媒体はカードに埋め込まれ、無線処理自動改札機システムにおける定期券カード等として利用が試みられている。
【０００４】
無線情報記憶媒体を用いたシステムでは、情報記憶媒体（カード、タグなど）を処理装置に投入することなく非接触で所定の処理を行うことができるため、従来のシステムにない利便性を得ることができる。
【０００５】
例えば、万引き防止システムにおいて使用する無線タグの場合、無線タグが取り付けられている物品に関する情報を直接、顧客に表示する必要がないため、人が目視で確認可能な画像記録部を備えていない。
【０００６】
しかしながら、近年、無線タグを利用した種々のシステムが提案され、目視可能な画像記録部を備えていることが必要となりつつある。例えば、無線タグを物品の値札に利用し、客が買い上げた物品の会計処理を行う際、複数の物品に付けられた無線タグに格納されている値段情報を無線で各々読み取り、処理を行うことができれば効率的な処理が行える。この場合、物品購入者が物品の値段を自ら確認できなければならない。
【０００７】
また、無線タグを物流分野に利用するシステムにおいては、物品に荷札として取り付けられ、ポイント、ポイントで物品に取り付けられた無線タグから物品に応じて書き込まれた固有の情報を読み出し、物品の流れを一元的に管理する。更に、製造途中品に付けて製造管理に利用することも考えられている。
【０００８】
これらのシステムにおいて、物品に取り付けられた値札の破損、交信傷害などによる不測の事態に対応するため、現場作業者あるいは管理者が目視可能な物品情報を無線タグに表示することが不可欠となる。
【０００９】
そこで、例えば、特開平４−３６８８９４号公報には、非接触記録手段を内蔵しているとともに、記録媒体表面に書き換え可能な熱可逆性材料からなる可視情報記録エリアを設けた非接触記録媒体が提案されている。
【００１０】
また、特開平９−１０４１８９号公報に開示された情報記憶媒体は、外部との送受信によりＩＤ情報を記憶および送出する半導体回路と、アンテナとが内蔵されているとともに、表面に印刷および消去が可能な印刷媒体が設けられ、この印刷媒体にＩＤ情報に関係した情報が印刷されている。
【００１１】
この情報記録媒体は、樹脂が混入されたぺット材からなるカード状の母材上に、アンテナおよび半導体回路部が印刷または貼り付けにより設けられている。母材上には、アンテナおよび半導体回路部に重ねて、リライト紙が接着剤により固定されている。また、リライト紙のうち、半導体回路部を除く領域に情報を印刷することが開示されている。
【００１２】
また、上記特開平９−１０４１８９号公報には、情報記録媒体を作成する発行処理装置が開示されている。この発行処理装置は、ＩＤ情報を情報記録媒体としてのＩＤタグに書き込みおよび印刷を行う書き込み／印刷装置を備えている。書き込み／印刷装置は、送受信部、ＩＤタグスタッカ部、印刷部、ＩＤタグを印刷部に供給するフィード機構、印刷後にＩＤタグを装置外に排出する排出機構、プリンタ制御部、およびこれらを制御する主制御部等を備えている。
【００１３】
印刷部はＩＤタグのリライト紙に情報を印字する印字手段と、印字消去を行う消去部とを有し、リライト紙の印刷を行う。送受信部は、ＩＤタグと送受信するためのアンテナ、信号の変調、復調を行って送受信を行う送受信回路とを備えている。
【００１４】
また、主制御部は、ホストコンピュータからホストＩ／Ｆ部を介して書き込み用のデータを入力し、プリンタ制御部、印刷部、および送受信部を制御して、ＩＤ情報の書き込みおよび印刷の制御を行う。そのため、主制御部は、このような制御を行うＭＰＵ、およびホストＩ／Ｆ部を介して入力された書き込み用のデータを記憶するメモリを備えている。
【００１５】
そして、この発行処理装置によれば、ＩＤ情報がＩＤタグに書き込まれているか否かの判定手段を設け、書き込まれている場合には、印刷された情報を消去した後、ＩＤ情報の書き込みを行う。また、ＩＤタグの書き込み回数をＩＤ情報の一部とし、書き込み回数の印刷、あるいは書き込み回数に応じて印刷位置を変化させている。
【発明の開示】
【発明が解決しようとする課題】
【００１６】
無線情報記億媒体の発行に当たっては、１枚の無線情報記憶媒体毎に無線情報書き込みと画像記録とを連続して行うために発行効率が悪いという問題がある。
【００１７】
この発明は以上の点に鑑みなされたもので、その目的は、無線情報記憶媒体を効率良く発行できる無線情報記憶媒体の発行装置を提供することにある。
【課題を解決するための手段】
【００１８】
上記目的を達成するため、この発明の態様に係る無線情記憶媒体の発行装置は、情報を記憶する記憶手段を有し、非接触で情報を送受信する無線情報記憶部と、可視画像を記録する画像記録部とを備えた無線情報記憶媒体を発行するものであって、  
前記複数の無線情報記憶媒体の無線情報記憶部に非接触で同一な所定の情報を書き込む情報書き込み装置と、前記情報書き込み装置と独立して動作し、前記情報書き込み装置によって所定の情報が書き込まれた前記無線情報記憶媒体の画像記録部に所定の情報の一部に関する可視情報を記録する画像記録装置と、を有することを特徴としている。
【発明の効果】
【００１９】
本発明によれば、無線情報記億媒体の発行に当たって、無線情報書き込みと画像記録とを独立して行うため、発行効率の良い無線情報記憶媒体の発行装置を提供することができる。
【発明を実施するための最良の形態】
【００２０】
以下図面を参照しながら、無線情報記憶部および画像記録部に同一情報が書き込みおよび記録された複数の無線情報記憶媒体を発行処理するこの発明の実施の形態に係る発行装置について詳細に説明する。
【００２１】
まず、発行される無線情報記憶媒体として、例えば、無線荷札の構成について説明する。図１に示すように、無線荷札２０は、互いに積層された画像記録部３０および無線情報記憶部４０を備えている。画像記録部３０は、熱により記録画像の消去および印字を繰り返し行うことができるリライタブル記録部であり、矩形のカットシート状をなす基材３１の一面に、リライタブル記録層３２および卜ップコート層３３を順に積層して形成されている。
【００２２】
このような画像記録部３０は以下の工程により作成される。ロイコ系染料と長鎖アルキル基を持つフェノ一ル化合物とを樹脂に分散させ、約２５μｍのポリカーボネイトフィルムの一面に塗布、乾燥させて厚さ約５μｍのリライタブル記録層３２を形成する。そして、形成されたリライタブル記録層３２の上に紫外線硬化樹脂を塗布し硬化させて厚さ約５μｍのトップコート層３３を形成する。このようにして厚さ約３５μｍのリライタブル画像記録部３０を得た。
【００２３】
また、無線情報記憶部４０は、矩形のカットシート状をなす基材４１と、基材の主表面周辺部に配設されたループ状コイルからなる送受信アンテナ４２と、基材４１主表面の端部に配設されたＬＳＩチップ（無線情報記憶回路素子）４３と、を備えている。このＬＳＩチップ４３は、図示しない外部装置との間で非接触で情報を送受信する無線送受信制御手段として機能する。
【００２４】
図２に示すように、ＬＳＩチップ４３には、送受信アンテナ４２で受信された変調データ信号の整流および安定化を行いＬＳＩチップの回路各部に供給する電源生成部５０、変調データ信号を復調し制御ロジック回路５３に送出する復調回路５１、制御ロジック回路５３から送出されたデータ信号を無線送信可能な形態に変調する変調回路５２、揮発性メモリ５４、復調されたデータ信号の不揮発性メモリ５４への書き込み、あるいは不揮発性メモリ５４から記憶された情報の読み出し、変調回路５２への送出を制御する制御ロジック回路５３、復調回路５１、変調回路５２、制御ロジック回路５３へ同期信号を供給するクロック生成回路５５などの回路が設けられている。
【００２５】
無線情報記憶部４０は以下の構成により作成される。約１０Ｏμｍのポリカーボネイトフィルムに銅箔を貼り付け、ループ状アンテナ４２、配線パターン、およびＬＳＩチップ４３の配線パターンとの接続パッドを一組とする複数のパターンをＰＥＰ法により形成する。アンテナパターンは図１（ａ）に示すように、カットシート状基材４１の周辺部に形成する。また、ＬＳＩチップ４３の接続パッドパターンは、無線情報記憶部４０を切り分ける際、図１（ａ）に示すように、できあがった無線荷札２０の端部に配設できるように形成した。そして、接続パットにＬＳＩチップ４３をダイボンディングして実装した。
【００２６】
無線荷札２０は、画像記録部３０の基材３１のリライタブル記録層形成面と反対側の面と、無線情報記憶部４０の基材４１の無線情報記憶部形成面とを接着層３４によって貼り合わせることにより形成されている。
【００２７】
また、リライタブル記録層３２はアンテナ４２の内側に対向した有効記録領域３５を有し、この有効記録領域３５と無線情報記憶部４０のＬＳＩチップ４３とは、重なることなく無線荷札２０の平面方向に離間して配置されている。
【００２８】
次に、上記のように構成された無線荷札２０を発行する無線情報書き込み装置、画像印字装置、および発行処理方法について説明する。
【００２９】
図３に示すように、無線荷札２０の無線情報記憶部４０に所定の情報を書き込む無線情報書き込み装置１０は、筐体１１を備え、この筐体の一端部には、無線荷札２０を挿入するための挿入口１２、他端部には、所定情報が正常に書き込まれた無線荷札２０を排出する排出口１４、底部には、異常が検出された無線荷札を回収する回収口１５がそれぞれ形成されている。
【００３０】
筐体１１の外方には、処理前の無線荷札２０をストックしたスタッカ２２が挿入口１２に対向して設けられ、スタッカの底部には、スタッカ２２から無線荷札２０を１枚ずつ取出して挿入口１２に挿入する取出しローラ２５が設けられている。また、筐体１１の外方には、排出口１４から排出された無線荷札２０を回収する受け箱２４、回収口１５から排出された無線荷札２０を回収する回収箱２９がそれぞれ配設されている。
【００３１】
筐体１１内には、無線荷札２０の無線情報記憶部４０に対して非接触で情報の読み出し、書き込みを行うリーダライタ２１、および挿入口１２から挿入された無線荷札２０を所定の速度でリーダライタ２１に搬送する２組の搬送ローラ２４が設けられている。更に、筐体１１内には、リーダライタ２１を通過した無線荷札２０を排出口１４および回収口１５に選択的に振り分けるフリッパ２３、リーダライタ２１を排出口１４から排出する排出ローラ２７、および挿入口１２に近傍に位置し、無線情報書き込み装置１０に対する無線荷札２０の挿入を検知するセンサ２８が設けられている。
【００３２】
図４に示すように、リーダライタ２１は、Ｉ／Ｆ６０、ＣＰＵ、ＲＡＭ、ＲＯＭ等で構成された制御部６１、復調回路６２、受信アンプ６３、変調回路６４、送信アンプ６５、および送受信アンテナ６６を備えている。取り出しローラ２５、搬送ローラ２６、排出ローラ２７を有する搬送部１６は、搬送制御部８０を更に備えている。この搬送制御部８０は、取り出しローラ２５、搬送ローラ２６、排出ローラ２７の図示しない駆動伝達系を制御し、無線荷札２０の取り出し、搬送、フリッパ２３による搬送経路の変更を制御する。搬送ローラ２６は２組設けられ、無線荷札２０の両側縁部のみを上下から挟持するように配置されている。
【００３３】
また、リーダライタ２１は記憶情報判定部７１、書き込み情報メモリ７２、および照合回数カウンタ７３を有する照合部７０を備えている。記憶情報判定部７１は、無線荷札２０の無線情報記憶部４０から読み出された情報と書き込みに用いた情報とを照合し、無線情報書き込みの正誤を判定するとともに、予め設定された照合回数と比較して無線情報記憶部の適否を判定する。そして、記憶情報判定部７１は、判定結果に応じて、無線荷札２０の搬送経路を変更させるフリッパ２３の動作をおこなわせる指示信号を搬送制御部８０に出力する。書き込み情報メモリ７２は、無線情報記億部４０に書き込む情報を一時的に記憶するとともに、照合回数カウンタ７２は、照合回数をカウントする。
【００３４】
これらのリーダライタ２１、搬送部１６、照合部７０、およびセンサ２８は、これら全体の動作を制御する中央制御装置（ＣＰＵ）８１にバス８２で接続されている。
【００３５】
一方、画像印字装置１９は、図５に示すように、筐体１９を備え、この筐体の一端部には挿入口９６が形成され、他端部には排出口９７が形成されている。筐体１９の外方には、無線荷札２０をストックするスタッカ１１０が挿入口１２に対向して設けられ、スタッカの底部には、スタッカ１１０から無線荷札２０を１枚ずつ取出して挿入口１２に挿入する取出しローラ１０１が設けられている。また、筐体１１の外方には、排出口９７から排出された無線荷札２０を回収する受け箱１１１が配設されている。
【００３６】
筐体１９内には、記録ヘッドとしのサーマルヘッドを用いて無線荷札２０の画像記録部３０に画像情報を記録する画像印字部９０と、サーマルヘッドに対向したプラテンローラ１０３と、スタッカ１１０から取出された無線荷札２０を排出口９７に向かって所定の速度で搬送する搬送ローラ１０２、および、画像印字部９０への無線荷札の進入を検知するセンサ１１２が設けられている。
【００３７】
図６に示すように、画像印字部９０は、Ｉ／Ｆ９３、サーマルヘッド９１、サーマルヘッドの記録動作を制御する記録制御部９２を備えている。また、取り出しローラ１０１、搬送ローラ１０２、プラテンローラ１０３は、搬送制御部１００とともに搬送部９８を構成し、搬送制御部１００は、取り出しローラ１０１、搬送ローラ１０２、プラテンローラ１０３の図示しない駆動伝達系を制御し、無線荷札の取り出し、搬送を制御する。そして、画像印字部９０、搬送部９８、センサ１１２は、画像記録装置全体の動作を制御する中央制御装置（ＣＰＵ）１１３にバス１１４を介して接続されている。
【００３８】
次に、上述した情報書き込み装置１０および画像印字装置１８を用いて無線荷札２０を発行処理する発行処理動作について説明する。本実施の形態によれば、情報書き込み装置１０によって無線荷札の無線情報記憶部に所定情報を書き込んだ後、画像印字装置１８を用いて無線荷札の画像記録部に画像情報を記録している。
【００３９】
まず、図３、図４、図７、および図８を参照して、情報書き込み装置１０を用いた情報書き込み動作について説明する。図示しない入力手段により処理開始が入力されると、ＣＰＵ８１から搬送制御部８０に対して取り出しローラ２５の起動信号が出力され、取り出しローラが駆動される。これにより、スタッカ２０に積層配置されている処理前の無線荷札２０の内、最下端の無線荷札２０が取出しローラ２５によって取り出され、リーダライタ２１に向けて搬送される。
【００４０】
センサ２８が無線荷札２０を検知すると、センサ２８から出力される検知信号に基づき、ＣＰＵ８１は搬送制御部８０に搬送信号を出力し、搬送制御部８０は図示しない搬送駆動系を起動して搬送ローラ２６および排出ローラ２７を回転させる。これにより、取出された無線荷札２０は、所定の速度でリーダライタ２１に搬送される。無線荷札２０がリーダライタ２１と対向する所定の位置まで搬送されてくると、リーダライタ２１は、無線荷札２０の無線情報記憶部４０に所定の情報を書き込む。
【００４１】
リーダライタ２１の情報書き込み動作において、まず、ＣＰＵ８１からＩ／Ｆ６０を介して所定のデータ、ここでは行き先  「北海道」、受取人「０００会社」を示すデータや荷札を取り付ける物品に関する情報等が制御部６１に送られる。そして、制御部６１から出力されたデータは、変調回路６４にて無線送信に必要な変調が加えられた後、送信アンプ６５を経て送受信アンテナ６６から変調データ信号として送信され、無線荷札２０の送受信アンテナ４２で受信される。
【００４２】
受信された変調データ信号は、電源生成部５０にて整流と安定化が行われ、無線情報記憶部４０内のＬＳＩチップ４３の回路各部に電源として供給されるとともに、復調回路５１で復調された後、制御ロジック回路５３を介して不揮発性メモリ５４に書き込まれる。以上により、無線情報記憶部４０への情報の書き込みが終了する。
【００４３】
続いて、リーダライタ２１は、情報が正しく書き込まれたことを確認する照合動作を行う。図９に示すように、情報を書き込んだ後、ＣＰＵ７１は続けて読み出し命令をリーダライタ２１に出力しする。これに応じて、リーダライタ２１は、無線荷札２０のＬＳＩチップ４３の不揮発性メモリ５４に書き込まれ、記憶されている所定の情報、ここでは行き先「北海道」、受取人「０００会社」を示す情報、荷札を取り付ける物品に関する情報等、を読み出す。
【００４４】
読み出された情報は、制御口ジック回路４７を介して変調回路４５にて所定の変調が行われ、無線荷札２０の送受信アンテナ４２から送信される。そして、無線荷札２０から送信された情報は、リーダライタ２１の送受信アンテナ６６で受信され、受信アンプ６３で増幅され、かつ、復調回路６２にて復調された後、制御部６１に入力される。
【００４５】
続いて、入力されたデータはＩ／Ｆ６０、ＣＰＵ８１を介して照合部７０の記憶情報判定部７１に送られる。この記憶情報判定部７１は、予め書き込みメモリ７２に格納されている、先の書き込みに用いた情報を読み出し、無線荷札２０から読み出された情報と照合する。そして、両者が一致した場合、ＣＰＵ８１は搬送部１６により無線荷札２０を排出し、受け箱２４に回収する。
【００４６】
一方、両者が不一致だった場合、ＣＰＵ８１は、照合回数カウンタ７３を１だけカウントアップした後、上記と同様の動作により無線荷札２０の無線情報記憶部４０に再度同一の情報を書き込み、再び読み取って照合を行い、両者が一致すれば、排出して受け箱２４に回収する。
【００４７】
また、図１０に示すように、上記照合処理において、記憶情報判定部７１は、照合回数カウンタ７３で計数された照合回数と、予めＣＰＵ８１に格納されている限界照合回数とを比較し、照合カウンタ７３のカウント数が限界照合回数未満の場合は、再書き込み動作に入る。しかし、カウント数が限界照合回数以上の場合、記憶情報判定部７１は、無線荷札２０が照合不能であると判断し、搬送制御部８０にフリッパ起動信号を出力する。この信号に基づいて搬送制御部８０はフリッパ２３を起動し、無線荷札２０の搬送経路を回収受け箱２５に通ずるように変更する。これにより、照合不能と判定された無線荷札２０は不良無線荷札を回収する回収箱２５に回収される。
【００４８】
一方、先に述べた照合処理において、無線荷札２０から記録情報の読み出しができない場合がある。この場合、記憶情報判定部７１は、「照合不能」を判定し、搬送制御部８０を介してフリッパ２３を起動し、無線荷札２０の搬送経路を回収受け箱２５に通ずる搬送経路を変更する。従って、照合不能と判定された無線荷札２０も回収箱２５に回収される。
【００４９】
上述した無線書き込み処理、照合処理を繰り返し行うことにより、同じ情報（データ）が無線情報記憶部４０に正しく書き込まれた多数の無線荷札２０が得られる。
【００５０】
続いて、上記のように同一の情報が無線情報記憶部４０に正しく書き込まれた多数の無線荷札２０に対し、画像印字装置１８を用いて画像情報の記録を行う。この場合、図５ないし図７、および図１１に示すように、図示しない入力手段により処理開始が入力されると、画像印字装置１８のＣＰＵ１１３から搬送制御部１００に取り出しローラ１０１の起動信号が出力され、取出しローラ１０１が駆動される。スタッカ１１０には、同一の情報が無線情報記憶部４０に正しく書き込まれた多数の無線荷札２０が積層されており、最下端に位置した無線荷札は、取り出しローラ１０１によって取り出され、画像印字部９０に向けて搬送される。
【００５１】
無線荷札２０が挿入口９６を通して筐体１９内に搬送されセンサ−１１２によりサーマルへッド９１への進入が検知されると、この検知信号に基づき、サーマルヘッド９１は、進入してくる無線荷札２０に接触しない待避位置から、無線荷札２０の画像記録部３０の有効記録領域３５に接触する位置まで移動し、プラテンローラ１０３と共働して有効記録領域３５を圧接する。
【００５２】
続いて、ＣＰＵ１１３は、Ｉ／Ｆ９３を介して記録制御部９２に所定の画像情報信号、ここでは行き先「北海道」、受取人「０００会社」を示す情報、荷札を取り付ける物品に関する情報の一部を変換したバーコード情報、記録位置情報等を送る。サーマルヘッド９１が有効記録領域３５の記録開始位置にくると、記録制御部９２は決められた条件に従ってサーマルヘッド９１を駆動し、無線荷札２０の有効記録領域に、図２に示す行き先「北海道」：１２０、受取人「０００会杜」：１２１、荷札を取り付ける物品に関する情報の一部を変換したバーコード：１２２を記録した。
【００５３】
ここで、無線荷札２０の画像記録部３０に設けられたリライタブル記録層３２の発色（記録）／消色（消去）特性について説明する。図１２は、搬送速度４０ｍｍ／秒で移動する無線荷札２０の画像記録部３０に解像度８ドット／ｍｍのサーマルヘッドを用いてソリッドパターンを記録する際、サーマルヘッドへの印加エネルギを変えたときの画像濃度の変化特性を示している。図において、縦軸は画像記録部２０に印字された画像の画像濃度、横軸は画像記録部に与えるサーマルヘッドの印加エネルギを示している。更に、図中の実線は、まだ画像を記録していない初期状態の画像記録部３０にソリッドパターンを記録する熱を与えたときの濃度変化を示し、破線は画像記録部に記録されたソリッドパターンを消去するための熱を与えたときの濃度変化を示している。
【００５４】
このように、この画像記録部３０はサーマルヘッド９１への印加エネルギを変えることにより、繰り返し画像の記録、消去ができる。ここでは、記録エネルギを０．６ｍＪ／ドット、消去エネルギを０．３ｍＪ／ドットとすることにより画像記録部３０への画像記録および消去を繰り返し行うことができる。
【００５５】
画像記録が終了すると、サーマルヘッド９１はもとの待避位置に移動し、無線荷札２０との圧接を解除する。搬送制御部１００は、搬送ローラ１０２およびプラテンローラ１０３を回動させて、無線荷札２０を排出口９７方向に移送し、画像記録された無線荷札は受け箱１１に集積される。
【００５６】
これにより、無線情報記憶部４０に所定の情報が書き込まれ、かつ、画像記録部３０に上記所定情報の少なくとも一部に対応する画像情報が記録された多数枚の無線荷札２０が発行される。
【００５７】
以上説明したように、本実施の形態に係る発行処理方法によれば、複数の無線荷札２０の無線情報記憶部４０に所定情報を書き込む情報書き込み工程と、複数の無線荷札の画像記録部３０に上記情報に関わる画像情報を記録する画像情報記録工程とを別々に行うことにより、これらの工程処理を行う書き込み装置１０および画像印字装置１８の搬送条件を各々の処理に応じた最適条件に設定がすることができる。そのため、１枚の無線荷札毎に無線情報書き込み処理と画像記録処理とを連続して行う発行処理方法と比較して、効率の良い発行処理を行うことができる。
【００５８】
また、通常、リーダライタでは無線荷札２０からの情報読み出しにおいて、微弱な読み出し信号を取り扱わなければならず、外部からのノイズに対する対策が必要であり、リーダライタと画像印字部とが近接配置される装置では正確な送受信制御を行うために情報のリード／ライトの繰り返しが必要となる。
【００５９】
これに対して、本実施の形態に係る発行処理方法では、独立した情報書き込み装置と画像印字装置と用いることができるため、無線情報書き込み処理において高い信頼性および処理時間の短縮が可能となり、効率の良い無線情報記憶媒体の大量発行ができる。
【００６０】
更に、上記発行処理方法によれば、無線荷札の無線情報記憶部に情報を書き込む情報書き込み工程に続いて、記憶された情報の照合を行い、照合結果に応じて再書き込みあるいは分別回収することにより、照合不能な欠陥のある無線荷札を発行処理工程の途中で除去することができ、発行処理の最終段階では１００％に近い発行処理歩留まりが得られる。この効果は、無線荷札の画像記録部に画像印字を行う工程に先行して、無線情報記憶部に対する無線情報の書き込みおよび照合を行うことにより、一層有効となる。
【００６１】
なお、上記実施の形態においては、無線情報書き込み工程を画像情報の記録工程に先行して行う構成としたが、画像情報の記録工程を先行して行うようにしても同様な効果が得られる。
【００６２】
次に、この発明の他の実施の形態に係る無線情報記憶媒体の発行処理方法について説明する。他の実施の形態は、それぞれ独立した無線情報記憶部および画像記録部に対して別々に情報書き込み処理および画像情報記録処理を行った後、これらの無線情報記憶部および画像記録部を接合して同一情報を有する多数の無線情報記録媒体を発行するものである。
【００６３】
すなわち、図１３および図１４（ａ）、（ｂ）に示すように、まず、無線荷札を構成するための無線情報記憶部４０および画像記録部３０をそれぞれ別々に多数枚ずつ用意する。
【００６４】
図１４（ａ）に示すように、無線情報記憶部３０は、矩形状の第１基材１４１の主平面周辺部に配設されたループ状コイル等からなる送受信アンテナ１４２と、第１基材１４１の端部に配設され非接触で情報を書き込み、読み出しが可能な無線送受信制御手段としてのＬＳＩチップ１４３と、を備えている。また、第１基材１４１には、ほぼ同一寸法の第２基材１４４が接着層１４５を介して貼り付けられ、送受信アンテナ１４２およびＬＳＩチップ１４３を覆っている。ＬＳＩチップ１４４の構成は前述した実施の形態と同一であり、その詳細な説明は省略する。
【００６５】
無線情報記憶部４０は以下のように作成した。約１００μｍのポリカーボネイトフェイルムに銅箔を貼り付け、ループ状アンテナ、配線パターンおよびＬＳＩチップの配線パターンとの接続パッドを一組とする複数のパターンをＰＥＰ法により形成する。ループ状アンテナパターンは第１状基材１４１の周辺部に形成した。また、ＬＳＩチップ１４３の接続パッドパターンは、無線情報記憶部４０を分離するように第１基材を切断するとき、できあがった基材の端部に配設できるように形成した。そして、この接続パットパターンにＬＳＩチップ１４３をダイボンディングして実装した。
【００６６】
続いて、第１基材１４１のアンテナ１４２およびＬＳＩチップ１４３配設面を第２基材１４４で被覆し、両基材の間に充填剤を充填し、接着層１４５を介して基材同志を接着した。更に、ＬＳＩチップ１４３およびアンテナ１４２を１組として分離するように、第１および第２基材１４１、１４４を長さ６０ｍｍ、幅３０ｍｍのラベル状に裁断して無線情報記憶部４０を得た。
【００６７】
図１４（ｂ）に示すように、画像記録部３０は紙、プラスチックなどのシート状の基材１３１に感熱記録層１３２を設けたものである。ここでは、サーマル原紙に感熱記録材料を塗布して感熱記録層１３２を形成し、乾燥処理後、無線情報記憶部４０と同じサイズに切断して画像記録部３０を得た。
【００６８】
続いて、情報書き込み装置を用いて複数枚の無線情報記憶部４０に所定の情報を非接触で書き込むとともに、書き込み終了後、照合処理および排除処理を行う。情報書き込み装置としては前述した実施の形態と同一のものを使用し、図７ないし図１０に示す各処理動作と同様にして情報書き込み、照合、排除を行う。そして、このような無線情報書き込み処理により、同じ情報が正しく書き込まれた多数枚の無線情報記憶部４０を得る。
【００６９】
また、無線情報記憶部４０に対する情報書き込み処理と平行して、あるいは、別々に、画像印字装置を用いて複数枚の画像記録部３０に上記所定情報の少なくとも一部に対応する同一画像情報を連続的に記録する。画像印字装置としては前述した実施の形態と同一のものを使用し、図７および図８に示す各処理動作と同様にして画像記録を行う。この際、サーマルヘッドにより画像記録部３０の感熱記録層１３２に画像情報を記録する。そして、このような画像記録処理により、同じ画像情報が記録された多数枚の画像記録部３０を得る。
【００７０】
その後、このように各々同じ情報を書き込まれた無線情報記憶部４０と同じ情報が画像記録された画像記録部３０とを、無線情報記憶部４０の第１基材１４１と画像記録部３０の基材１３２とを貼り合わせることにより、図１４（ｃ）に示すような無線情報記憶部４０および画像記録部３０に各々必要な情報が記録された無線情報記憶媒体、例えば、無線荷札２０を発行する。
【００７１】
以上のように構成された他の実施の形態に係る発行処理方法においても、前述した実施の形態と同様の作用効果を得ることができる。更に、上記他の実施の形態によれば、半完成品である無線情報記憶部４０のみの処理段階で発生した不良品を除去することができ、一層高い歩留まりと効率化とが図れる。
【００７２】
なお、この発明は上述した実施の形態に限定されることなく、この発明の範囲内で種々変形可能である。例えば、発行処理される無線情報記憶媒体は、上述した無線荷札に限定されることなく、無線値札等の他の無線情報記憶媒体にも適用可能である。
【００７３】
図１５は無線情報記憶媒体として無線値札の一例を示している。この無線値札１５０は、それぞれ矩形状の無線情報記憶部４０および画像記録部３０を備え、これら無線情報記憶部４０および画像記録部３０の端部同志と連結することにより、全体として細長い矩形状に形成されている。
【００７４】
画像記録部３０は、矩形シート状の基材１５１と基材上に形成されたリライタブル記録装置１５２とで構成されている。無線情報記憶部４０は矩形板状の基台１５４を有し、この基材上に無線情報記録素子１５６が固定されている。無線情報記憶素子１５６は、情報記憶回路素子としてのＬＳＩチップ１５７およびループ状の送受信アンテナ１５８を備えて構成されている。また、基材１５４には、無線値札１５０を物品に取り付けるための透孔１６０が形成されている。
【図面の簡単な説明】
【００７５】
【図１】この発明の実施の形態に係る発行処理方法によって発行処理される無線荷札の平面図および断面図。
【図２】上記無線荷札の構成を概略的に示すブロック図。
【図３】上記発行処理に用いる情報書き込み装置を概略的に示す断面図。
【図４】上記情報書き込み装置の構成を示すブロック図。
【図５】上記発行処に用いる画像印字装置を概略的に示す断面図。
【図６】上記画像印字装置の構成を示すブロック図。
【図７】上記発行処理方法全体の工程を示すフローチャート。
【図８】上記情報書き込み装置の情報書き込み動作を示すフローチャート。
【図９】上記情報書き込み装置の照合動作を示すフローチャート。
【図１０】上記情報書き込み装置の排除動作を示すフローチャート。
【図１１】上記画像印字装置の画像記録動作を示すフローチャート。
【図１２】上記無線荷札の画像記録部における画像濃度と、サーマルヘッドの印加エネルギとの関係を示すグラフ。
【図１３】この発明の他の実施の形態に係る発行処理方法全体の工程を示す図。
【図１４】上記他の実施の形態に係る発行処理方法によって発行される無線荷札の構成を示す断面図。
【図１５】無線値札の一例を示す図。
【符号の説明】
【００７６】
１０…情報書き込み装置
１８…画像印字装置
２０…無線荷札
２１…リーダライタ
２２…スタッカ
２３…フリッパ
２６…搬送ローラ
２９…回収箱
３０…画像記録部
３２…リライタブル記録層
３５…有効記録領域
４０…無線情報記憶部
４２、１４２…送受信アンテナ
４３、１４３…ＬＳＩチップ
９１…サーマルヘッド
１０３…プラテンローラ
【図１】
2005056433.tif 000003
【図２】
2005056433.tif 000004
【図３】
2005056433.tif 000005
【図４】
2005056433.tif 000006
【図５】
2005056433.tif 000007
【図６】
2005056433.tif 000008
【図７】
2005056433.tif 000009
【図８】
2005056433.tif 000010
【図９】
2005056433.tif 000011
【図１０】
2005056433.tif 000012
【図１１】
2005056433.tif 000013
【図１２】
2005056433.tif 000014
【図１３】
2005056433.tif 000015
【図１４】
2005056433.tif 000016
【図１５】
2005056433.tif 000017